(57)【特許請求の範囲】
【請求項１】
建物の内部を吹き抜け部と他の空間部の下階とに仕切る少なくとも１つの第１間仕切り部材と、前記建物の内部を前記吹き抜け部と前記他の空間部の上階とに仕切る少なくとも１つの第２間仕切り部材と、を有し、前記第１間仕切り部材と前記第２間仕切り部材が前記上階と前記下階を分ける床部を挟んで上下に配置され、前記吹き抜け部と前記他の空間部の前記上階及び前記下階の少なくとも一方とを連通させる連通孔部が縦桟と横桟とで囲まれた格子状に形成された間仕切り部と、
前記吹き抜け部及び前記他の空間部の少なくとも一方の温度を検知する検知手段と、
前記縦桟及び前記横桟の内側に設けられた配管と、前記検知手段で検知された温度に基づいて設定された温度の水を前記配管に供給する供給手段と、を有し、前記間仕切り部の温度を可変とし、前記連通孔部を通過する空気の温度を変更する温度変更手段と、
を有する建物の間仕切り構造。
【請求項２】
前記間仕切り部は、複数の前記第１間仕切り部材と、複数の前記第２間仕切り部材と、を有し、
前記建物を鉛直方向に見て、複数の前記第１間仕切り部材及び複数の前記第２間仕切り部材が、矩形状の前記吹き抜け部をコ字状に囲む請求項１に記載の建物の間仕切り構造。
【請求項３】
請求項１又は請求項２に記載の建物の間仕切り構造と、
前記吹き抜け部の天井又は床に設けられ、前記吹き抜け部の空気を循環させる循環手段と、
を有する建物。
【発明の詳細な説明】
【技術分野】
【０００１】
本発明は、建物の間仕切り構造及び建物に関する。
【背景技術】
【０００２】
特許文献１の建物の間仕切り構造は、建物の内部を複数の空間に区画する間仕切壁を有している。この間仕切壁は、複数の孔又はスリットで構成された通風壁部と、透光性を有する面材が取付けられた透光壁部とを含んで構成されており、通風壁部で通風することで各空間の通風性を向上させると共に、透光壁部で光を採りこんで各空間への採光性を向上させている。
【先行技術文献】
【特許文献】
【０００３】
【特許文献１】特開２００７−１６２３９１号公報
【発明の概要】
【発明が解決しようとする課題】
【０００４】
しかしながら、上記の特許文献１に開示された先行技術では、吹き抜け部と吹き抜け部に隣接する他の空間部との間仕切り構造に適用された場合、広い空間であり温め難く冷やし難い吹き抜け部の温度調節が困難であった。また、温度調節し難い吹き抜け部の空気が、複数の孔を通して他の空間部に流入するため、他の空間部の温度調節が困難であった。さらに、複数の孔を塞いだ場合は、吹き抜け部から他の空間部への空気の流入は抑制されるものの、他の空間部における通気性の悪化を抑制することが困難であった。
【０００５】
本発明は上記事実を考慮し、吹き抜け部及び吹き抜け部に対して仕切られた他の空間部の通気性を確保すると共に、吹き抜け部及び他の空間部の温度を調節することができる間仕切り構造及び建物を得ることが目的である。
【課題を解決するための手段】
【０００６】
請求項１の発明に係る建物の間仕切り構造は、建物の内部を吹き抜け部と他の空間部の下階とに仕切る少なくとも１つの第１間仕切り部材と、前記建物の内部を前記吹き抜け部と前記他の空間部の上階とに仕切る少なくとも１つの第２間仕切り部材と、を有し、前記第１間仕切り部材と前記第２間仕切り部材が前記上階と前記下階を分ける床部を挟んで上下に配置され、前記吹き抜け部と前記他の空間部の前記上階及び前記下階の少なくとも一方とを連通させる連通孔部が縦桟と横桟とで囲まれた格子状に形成された間仕切り部と、前記吹き抜け部及び前記他の空間部の少なくとも一方の温度を検知する検知手段と、前記縦桟及び前記横桟の内側に設けられた配管と、前記検知手段で検知された温度に基づいて設定された温度の水を前記配管に供給する供給手段と、を有し、前記間仕切り部の温度を可変とし、前記連通孔部を通過する空気の温度を変更する温度変更手段と、を有する。
【０００７】
請求項１の発明に係る建物の間仕切り構造では、連通孔部を通って吹き抜け部から他の空間部又は他の空間部から吹き抜け部へ空気が流入するので、吹き抜け部及び他の空間部の通気性を確保することができる。そして、建物の天井及び床には通気用の孔を設けないで済む。
【０００８】
また、請求項１の発明に係る建物の間仕切り構造は、温度変更手段が間仕切り部材の温度を変更する。例えば、高温となる夏期には温度変更手段が間仕切り部材を冷却し、低温となる冬期には温度変更手段が間仕切り部材を加熱する。このように、間仕切り部材が冷却又は加熱され温度変更されると、間仕切り部材の周囲の温度が変更されると共に連通孔部を流れる空気が冷却又は加熱され、吹き抜け部及び他の空間部へ流入する空気の温度が下降又は上昇するので、吹き抜け部及び他の空間部の温度を調節することができる。
【００１０】
さらに、間仕切り部材が下階の第１間仕切り部材と上階の第２間仕切り部材に分割されているので、下階、上階のそれぞれで必要とされる空間の大きさに合わせて間仕切り部材を設置することができる。
【００２４】
加えて、縦桟と横桟を組付けるだけで連通孔部が形成され、連通孔部を別途形成する作業が不要となるので、間仕切り部材を簡単に製造することができる。さらに、検知手段で設定温度よりも高い温度が検知されたときは、供給手段が冷水を配管に供給する。また、検知手段で設定温度よりも低い温度が検知されたときは、供給手段が温水を配管に供給する。そして、配管を冷水又は温水が流れることで、間仕切り部材が冷却又は加熱される。このように、配管に水を通すだけで間仕切り部材の冷却又は加熱を行えるので、温度変更手段を簡単な構成とすることができる。また、配管は縦桟及び横桟に隠蔽されているので、間仕切り部材の意匠性を損なうことがなくなる。
【００２５】
請求項２の発明に係る建物の間仕切り構造は、前記間仕切り部は、前記吹き抜け部と前記他の空間部の下階を仕切る複数の第１間仕切り部材と、前記吹き抜け部と前記他の空間部の上階を仕切る複数の第２間仕切り部材と、を有し、前記建物を鉛直方向に見て、複数の前記第１間仕切り部材及び複数の前記第２間仕切り部材が、矩形状の前記吹き抜け部をコ字状に囲む。
【００２６】
請求項２の発明に係る建物の間仕切り構造では、第１間仕切り部材と第２間仕切り部材がそれぞれ複数設けられることで、間仕切り部材と空気との接触面積が増加するので、吹き抜け部及び他の空間部の温度調節の時間を短縮することができる。
【００２７】
請求項３の発明に係る建物は、請求項１又は請求項２に記載の建物の間仕切り構造と、前記吹き抜け部の天井又は床に設けられ、前記吹き抜け部の空気を循環させる循環手段と、を有する。
【００２８】
請求項３の発明に係る建物では、循環手段で空気が循環されることにより、吹き抜け部の下側、上側の温度が略均一となり、さらに、温度変更手段により温度が変更されることで、吹き抜け部に隣接する他の空間部の下階、上階の温度も吹き抜け部と略均一の温度となるので、建物全体の温度を略均一にすることができる。
【発明の効果】
【００２９】
以上説明したように、請求項１に記載の本発明に係る建物の間仕切り構造によれば、吹き抜け部及び吹き抜け部に対して仕切られた他の空間部の通気性を確保すると共に、吹き抜け部及び他の空間部の温度を調節することができるという優れた効果を有する。
【００３８】
請求項２に記載の本発明に係る建物の間仕切り構造によれば、吹き抜け部及び他の空間部の温度調節の時間を短縮することができる。
【００３９】
請求項３に記載の本発明に係る建物によれば、建物全体の温度を略均一にすることができるという優れた効果を有する。
【図面の簡単な説明】
【００４０】
【図１】実施形態に係る建物の斜視図である。
【図２】実施形態に係る間仕切り部の間仕切り部材を開いた状態を示す透視図である。
【図３】実施形態に係る間仕切り部の間仕切り部材を閉じた状態を示す透視図である。
【図４】（Ａ）実施形態に係る間仕切り部材の縦桟にパネル材を収納した状態を示す斜視図である。（Ｂ）実施形態に係る間仕切り部材の縦桟からパネル材を引き出した状態を示す斜視図である。
【図５】実施形態に係る縦桟に横桟を組付ける状態を示す斜視図である。
【図６】（Ａ）実施形態に係る間仕切り部材を引き出し方向から見た断面図である。（Ｂ）実施形態に係る間仕切り部材におけるパネル材の移動システムを模式的に示す説明図である。
【図７】（Ａ）、（Ｂ）実施形態に係る間仕切り部材を引き出した状態又は収納した状態を示す平面図である。
【図８】実施形態に係る間仕切り部材の配管に水を供給する水供給システムの構成を示す斜視図である。
【図９】（Ａ）実施形態に係る間仕切り部材内に設けられた配管に水を供給する状態を示す説明図である。（Ｂ）他の実施例に係る間仕切り部材内に設けられた配管に水を供給する状態を示す説明図である。
【図１０】実施形態に係る間仕切り部材内に水を供給する状態を示す斜視図である。
【図１１】他の実施例に係る間仕切り部材内に水を供給する状態を示す説明図である。
【図１２】（Ａ）実施形態に係る間仕切り部が温水の供給によって加熱された状態を示す説明図である。（Ｂ）実施形態に係る間仕切り部のパネル材を収納状態としたときの吹き抜け部の空気の流れを示す説明図である。
【図１３】（Ａ）、（Ｂ）実施形態に係る建物の一階、二階、及び吹き抜けにおける夏期の空気の流れを示す模式図である。
【図１４】（Ａ）、（Ｂ）実施形態に係る建物の一階、二階、及び吹き抜けにおける冬期の空気の流れを示す模式図である。
【図１５】（Ａ）他の第１実施例に係るパネル材の移動システムを模式的に示す説明図である。（Ｂ）他の第２実施例に係るパネル材の移動システムを模式的に示す説明図である。
【発明を実施するための形態】
【００４１】
本発明の実施形態に係る建物の間仕切り構造及び建物について説明する。
【００４２】
図１には、本実施形態の建物１０の一部が示されている。建物１０は、一例として、柱及び梁からなる躯体（図示省略）と、一階の床部１２と、床部１２の上側に構築された二階の床部１４と、床部１４の上側に構築された天井部１６と、を含む二階建ての建物となっている。床部１４には、一部が平面視で矩形状に切り欠かれて凹部１８が形成されている。
【００４３】
凹部１８は、床部１４の平面視で長辺に相当する側面１８Ａと、側面１８Ａにおける長辺方向の両端部で側面１８Ａと直交する短辺に相当する側面１８Ｂ（図示の左側面）、側面１８Ｃ（図示の右側面）とを有している。なお、以後の説明では、凹部１８の長辺方向を建物１０の桁方向として矢印Ｘで表し、凹部１８の短辺方向を建物１０の妻方向として矢印Ｙで表し、建物１０の鉛直方向を矢印Ｚで表す。
【００４４】
また、建物１０は、床部１２の上面から凹部１８における矢印Ｘ方向の側面１８Ｃまで、斜め上方へ向けて階段２１が設けられている。さらに、建物１０は、凹部１８に沿って、床部１２、１４上に建物１０の間仕切り構造２０が設けられている。
【００４５】
間仕切り構造２０は、間仕切り部及び第１間仕切り部材の一例としての一階の第１間仕切り部２２と、間仕切り部及び第２間仕切り部材の一例としての二階の第２間仕切り部２４とを有している。そして、建物１０の内部の空間は、第１間仕切り部２２及び第２間仕切り部２４によって、一階と二階が連通した空間である吹き抜け部４０と、他の空間部（居室空間）の一例としての一階の第１居室部５０及び二階の第２居室部６０とに区画されている。
【００４６】
第１間仕切り部２２は、側面１８Ｂに沿って配置された間仕切り部材２６と、側面１８Ａに沿って配置された間仕切り部材２８、３２と、側面１８Ｃに沿って配置された間仕切り部材３４とを含んで構成されている。間仕切り部材２６、２８、３２、３４は、後述する縦桟４６と横桟４８（図２、３参照）が直交するように組み付けられた格子状の部材である。また、間仕切り部材２６、３２、３４は固定部の一例であり、間仕切り部材２８は移動部の一例である。
【００４７】
間仕切り部材２６は、側面１８Ｂから矢印Ｘ方向にずらした位置に配置されており、間仕切り部材３２は、側面１８Ａから矢印Ｙ方向にずらした位置に配置されている。また、間仕切り部材３４は、側面１８Ｃから矢印Ｘ方向（間仕切り部材２６とは反対側）にずらした位置に配置されている。さらに、間仕切り部材２６、３２、３４は、ボルト等の固定手段（図示省略）により、上端が床部１４の下面に固定されると共に、下端が床部１２の上面に固定されている。
【００４８】
間仕切り部材２８は、固定された間仕切り部材３２に対して縦桟４６（図２、３参照）の厚さ分だけ矢印Ｙ方向（厚さ方向）にずらして配置されている。また、間仕切り部材２８は、上端部が床部１４の下面に設けられたガイドレール（図示省略）に沿って矢印Ｘ方向に案内されるようになっており、下端の複数箇所に滑車（図示省略）が設けられている。これにより、間仕切り部材２８は、矢印Ｘ方向にスライド（移動）可能となっている。
【００４９】
一方、第２間仕切り部２４は、側面１８Ｂに沿って配置された間仕切り部材３６と、側面１８Ａに沿って配置された間仕切り部材３８と、側面１８Ｃに沿って配置された間仕切り部材４２、４４とを含んで構成されている。間仕切り部材３６、３８、４２、４４は、後述する縦桟４６と横桟４８（図２、３参照）が直交するように組み付けられた格子状の部材である。また、間仕切り部材３６、３８、４２は固定部の一例であり、間仕切り部材４４は移動部の一例である。
【００５０】
間仕切り部材３６は、側面１８Ｂから矢印Ｘ方向にずらした位置に配置されており、間仕切り部材３８は、側面１８Ａから矢印Ｙ方向にずらした位置に配置されている。また、間仕切り部材４２は、側面１８Ｃから矢印Ｘ方向（間仕切り部材３６とは反対側）にずらした位置に配置されている。さらに、間仕切り部材３６、３８、４２は、ボルト等の固定手段（図示省略）により、上端が天井部１６の下面に固定されると共に、下端が床部１４の上面に固定されている。
【００５１】
間仕切り部材４４は、固定された間仕切り部材４２に対して縦桟４６（図２、３参照）の厚さ分だけ矢印Ｘ方向（厚さ方向）にずらして配置されている。また、間仕切り部材４４は、上端部が天井部１６の下面に設けられたガイドレール（図示省略）に沿って矢印Ｙ方向に案内されるようになっており、下端の複数箇所に滑車（図示省略）が設けられている。これにより、間仕切り部材４４は、矢印Ｙ方向にスライド（移動）可能となっている。
【００５２】
このように、床部１４における凹部１８の上下を第１間仕切り部２２及び第２間仕切り部２４が平面視でコ字状に囲むことで、階段２１を有する吹き抜け部４０が形成されている。また、天井部１６で吹き抜け部４０の上方となる部位には、通気孔となる矩形状の天窓５２と、循環手段の一例としてのシーリングファン９４（図１３（Ａ）参照）とが形成されている。天窓５２は、ヒンジ部材で取付けられた窓部材（図示省略）により開閉可能となっている。なお、建物１０において、吹き抜け部４０の四方の側面のうち一側面となる凹部１８の開口側の側面は、建物１０の内壁を構成する壁部３１（図２参照）で閉塞されているが、壁部３１は、透明なガラス板で構成してもよい。
【００５３】
図２に示すように、建物１０の一階では、間仕切り部材２８が開閉可能となっており、間仕切り部材２８を固定された間仕切り部材３２側へ移動させることで、吹き抜け部４０に対する出入口５３が形成され、階段２１が利用可能となっている。また、図３に示すように、間仕切り部材２８を間仕切り部材２６側へ移動させることで出入口５３が閉じられる。そして、間仕切り部材２８及び間仕切り部材３２により、吹き抜け部４０の一側面が形成されるようになっている。
【００５４】
一方、図１において、建物１０の二階では、間仕切り部材４４が矢印Ｙ方向に開閉可能となっており、間仕切り部材４４を間仕切り部材４２側へ移動させることで吹き抜け部４０に対する出入口５５が形成され、階段２１が利用可能となっている。そして、間仕切り部材４４を間仕切り部材４２とは反対側へ移動させることで出入口５５が閉じられ、間仕切り部材４２及び間仕切り部材４４により、吹き抜け部４０の一側面が形成されるようになっている。
【００５５】
次に、各間仕切り部材の構成について説明する。
【００５６】
図４（Ａ）、（Ｂ）には、図１で説明した間仕切り部材２６、２８、３２、３４、３６、３８、４２、４４のうち、一例として、間仕切り部材２８の一部が斜視図で示されている。なお、間仕切り部材２８と他の間仕切り部材（間仕切り部材２６、３２、３４、３６、３８、４２、４４）は、後述する縦桟４６の数と横桟４８の長手方向の長さが異なるのみであり、材質、厚さ、高さ等、基本的な構成は同様となっているため、間仕切り部材２８について説明し、他の間仕切り部材の説明を省略する。また、図４（Ａ）、（Ｂ）では、間仕切り部材２８の内部構造を示すために、縦桟４６の一部を切断して表示している。なお、図４（Ａ）、（Ｂ）では、後述する配管４９の図示は省略している。
【００５７】
図４（Ａ）に示すように、間仕切り部材２８は、矢印Ｚ方向に立設され水平方向に間隔をあけて複数配置された縦桟４６と、矢印Ｚ方向と直交する方向を長手方向として複数の縦桟４６に跨って取付けられた横桟４８とを含んで構成されている。なお、横桟４８は、図２、３に示すように、矢印Ｚ方向に間隔をあけて複数箇所に取付けられている。
【００５８】
図４（Ａ）に示すように、縦桟４６は、配列方向の幅がＷ１の桟本体４６Ａ、４６Ｂと、パネル材４７とを有している。桟本体４６Ａ、４６Ｂは、角型の筒体であり、桟本体４６Ａが吹き抜け部４０側に配置され、桟本体４６Ｂが第１居室部５０側に配置されている。なお、桟本体４６Ａの平断面の面積の方が、桟本体４６Ｂの平断面の面積よりも大きくなっている。これは、桟本体４６Ａの内側に後述する配管４９（図６（Ａ）参照）を設けるためである。
【００５９】
図６（Ａ）に示すように、桟本体４６Ａ、４６Ｂは、矢印Ｚ方向の上端及び下端が接合部４６Ｃにより接合されており、桟本体４６Ａと桟本体４６Ｂとの間に隙間部４６Ｄが形成されている。なお、下端については上端と同様の構成であるため、図示を省略する。また、隙間部４６Ｄには、桟本体４６Ａと桟本体４６Ｂとの対向方向と直交する方向に移動可能とされたパネル材４７が収納されており、桟本体４６Ａの内側には、後述する配管４９が設けられている。
【００６０】
パネル材４７は、一例として、矩形状で透明なアクリル製パネルで構成されている。具体的には、図６（Ｂ）に示すように、パネル材４７は、矢印Ｚ方向を長辺方向とする矩形状でスライド方向（図示の矢印Ｓ方向）に間隔をあけて複数形成されたスリット部４７Ｂと、複数のスリット部４７Ｂの間に形成された複数の板状の閉塞部４７Ａとを有している。閉塞部４７Ａとスリット部４７Ｂは、いずれも矢印Ｓ方向の幅がＷ１となっている。
【００６１】
また、パネル材４７の下端（下面）で矢印Ｓ方向の一方（図示の左側）には、下方へ向けて複数の噛合部（図示省略）が露出したラック部材６４が取付けられており、他方（図示の右側）には、滑車６５が回転可能に設けられている。ラック部材６４には、モータ６８のピニオン６６が噛合しており、ピニオン６６は、モータ６８への通電によって回転駆動されるようになっている。
【００６２】
モータ６８は、制御手段及び温度変更手段の一例としての制御部７０に電気的に接続されており、制御部７０からの通電により駆動されピニオン６６を回転させる。また、制御部７０には、一例として、第１居室部５０内の温度、湿度を検知する温湿度センサ７２が電気的に接続されている。そして、制御部７０は、温湿度センサ７２で検知された温度、湿度の少なくとも一方のデータと、予め設定されている設定温度、設定湿度との差分に基づいて、モータ６８に通電を行う構成となっている。
【００６３】
一例として、制御部７０は、夏季（例えば６月〜９月）の設定温度が２５℃となっており、温湿度センサ７２で検知された第１居室部５０の温度が設定温度２５℃よりも高くなったとき、図４（Ａ）及び図６（Ａ）に示すように、パネル材４７の閉塞部４７Ａをスライドさせて隙間部４６Ｄに収納する。また、制御部７０は、冬季（例えば１１月〜２月）の設定温度が２０℃となっており、温湿度センサ７２で検知された第１居室部５０の温度が設定温度２０℃より低くなったとき、図４（Ｂ）及び図６（Ａ）に示すように、パネル材４７の閉塞部４７Ａを複数の縦桟４６の間に形成された開口部５７にスライドさせて、開口部５７を閉じる。なお、矢印Ｓ方向における桟本体４６Ａ、４６Ｂの幅と閉塞部４７Ａの幅は、いずれも幅Ｗ１で同じであるため、開口部５７は閉塞部４７Ａで密閉される。
【００６４】
図５に示すように、縦桟４６の桟本体４６Ａには、横桟４８が嵌め込まれる嵌合部４６Ｅが複数形成されている。なお、図５では、桟本体４６Ｂ、パネル材４７、及び配管４９（図６（Ａ）参照）の図示を省略している。嵌合部４６Ｅは、吹き抜け部４０側に開口した切り欠きであり、配管４９が挿入される部位を残して凹状に形成されている。
【００６５】
一方、横桟４８は、縦桟４６の嵌合部４６Ｅに嵌め込まれる嵌合部４８Ａと、嵌合部４８Ａよりも嵌合方向（吹き抜け部４０から第１居室部５０へ向かう図示の矢印Ｔ方向）に突出（拡幅）された突出部４８Ｂとが、矢印Ｓ方向に交互に並んで複数形成されている。複数の突出部４８Ｂは、それぞれ矢印Ｓ方向の幅がＷ１となっており、１組の縦桟４６で挟まれるようになっている。また、複数の突出部４８Ｂには、矢印Ｚ方向（上方）に開口した穴部（図示省略）が形成されており、この穴部にＬＥＤランプ５９が嵌め込まれている。
【００６６】
ＬＥＤランプ５９は、横桟４８の内部に配設された配線（図示省略）の一端に接続されており、この配線の他端は給電部（図示省略）に接続されている。そして、ＬＥＤランプ５９のＯＮ、ＯＦＦは、リモコン（図示省略）で行われる。ここで、ＬＥＤランプ５９の給電部には調光機能が設けられており、間仕切り部材２８の加熱時と非加熱時とで、ＬＥＤランプ５９の発光色を変えるようになっている。一例として、間仕切り部材２８を加熱するときは電球色（黄色）、間仕切り部材２８を加熱しないとき（冷却時も含む）は白色というように設定され、ＬＥＤランプ５９の発光と縦桟４６の影により、第１居室部５０（図１参照）の空間に変化を持たせる演出が行えるようになっている。
【００６７】
また、ＬＥＤランプ５９は、突出部４８Ｂを平面視して中央部分に配置されており、縦桟４６の側面に接触しないように（近づかないように）なっている。これは、後述する配管４９（図６（Ａ）参照）に温水を供給したとき、縦桟４６から放出される熱でＬＥＤランプ５９の温度を過度に上昇させないようにするためである。ここで、縦桟４６の嵌合部４６Ｅに横桟４８の嵌合部４８Ａを嵌め込むことにより、縦桟４６と横桟４８が格子状に配置され、連通孔部の一例としての矩形状の開口部５７が形成されている。
【００６８】
図７（Ａ）、（Ｂ）に示すように、間仕切り部材２８及び間仕切り部材３２には、同じ大きさの縦桟４６が用いられており、各縦桟４６は同じ間隔で配置されている。このため、間仕切り部材２８を矢印Ｘ方向に移動させると、間仕切り部材２８の縦桟４６と、間仕切り部材３２の縦桟４６とが、矢印Ｘ方向と直交する方向に重なって配置される。
【００６９】
次に、各間仕切り部材の温度変更について説明する。
【００７０】
図８には、温度変更手段の一例としての水供給システム８０が示されている。なお、水供給システム８０は、間仕切り部材２６、２８、３２、３４、３６、３８、４２、４４にそれぞれ水（温水又は冷水）を供給するように設けられているが、ここでは一例として、間仕切り部材２８に水を供給する水供給システム８０について説明し、他の間仕切り部材２６、３２、３４、３６、３８、４２、４４への水の供給についての説明を省略する。
【００７１】
水供給システム８０は、温水又は冷水を供給するためのポンプユニット７４と、温水又は冷水を生成すると共に貯留する貯水タンク７８と、縦桟４６及び横桟４８の内部に設けられた配管４９（図６（Ａ）参照）と、貯水タンク７８から配管４９に給水を行う供給管８２、８６Ａ、８６Ｂと、配管４９内を流れた温水又は冷水を貯水タンク７８に還水する還流管８８と、を含んで構成されている。なお、供給管８２、８６Ａ、８６Ｂと還流管８８は、基本的に床下配管とされているが、間仕切り部材２８の移動に対応するため、一部が可撓性を有するゴムチューブ状の配管で構成され、床部１２（図１参照）上に露出している。
【００７２】
ポンプユニット７４は、配管７６によって貯水タンク７８と接続されており、貯水タンク７８内の温水又は冷水を切換弁（図示省略）を用いて切り換え、供給管８２に圧送するようになっている。貯水タンク７８は、内部に温水タンク及び冷水タンク（図示省略）を有しており、温水タンクでは加熱した金属棒により常温の水を温水にすると共に貯留し、冷水タンクでは巻き付けられた冷媒配管にコンプレッサー（図示省略）で冷媒を循環させることにより常温の水を冷水にすると共に貯留している。
【００７３】
また、貯水タンク７８は、一方の側面に供給管８２の一端と還流管８８の一端が接続されている。供給管８２の他端は、二股の分岐ヘッダー８４を介して供給管８６Ａ、８６Ｂの一端に接続されており、供給管８６Ａ、８６Ｂの他端は、縦桟４６内及び横桟４８内の配管４９（図６（Ａ）参照）に接続されている。そして、配管４９の終端には、還流管８８の他端が接続されており、還流管８８は、貯水タンク７８内に設けられた切換弁（図示省略）を介して前述の温水タンク及び冷水タンクに接続されている。なお、切換弁の切り換えは、配管４９に供給する温水又は冷水に合わせて行われるようになっている。
【００７４】
ポンプユニット７４及び貯水タンク７８は、制御部７０に電気的に接続されており、制御部７０から送られる信号に基づいて、温水又は冷水の生成、貯留、供給の各動作が行われる。また、制御部７０には、リモコンとしての操作パネル９２が設けられており、この操作パネル９２によって、温水、冷水の温度の設定（温度調節）、あるいは、間仕切り部材２８の加熱温度、冷却温度の設定が行われる。なお、操作パネル９２は、タイマー設定機能を有しており、間仕切り部材２８の加熱又は冷却の開始時刻、終了時刻、あるいは継続時間が設定可能となっている。また、制御部７０は、吹き抜け部４０、第１居室部５０、第２居室部６０にそれぞれ設けられた温湿度センサ７２の出力に基づいて、ポンプユニット７４及び貯水タンク７８を動作させるようになっている。
【００７５】
図９（Ａ）には、配管４９の全体が示されている。なお、縦桟４６及び横桟４８（図８参照）の図示は省略している。配管４９は、各縦桟４６内に配置される縦配管４９Ａと、間仕切り部材２８（図８参照）の上端、下端の各横桟４８内に配置される横配管４９Ｂとを有している。また、複数（図では一例として１１本）の縦配管４９Ａの上端は、全て１本の横配管４９Ｂに接続されて内部が連通している。一方、１１本の縦配管４９Ａの下端のうち、１０本の下端は１本の横配管４９Ｂに接続されて内部が連通しており、１本の縦配管４９Ａ（水の流れる方向で最も下流側に配置）の下端は、他の１０本の縦配管４９Ａの下端部と連通せず、独立して排水を行うようになっている。
【００７６】
配管４９の下端部の横配管４９Ｂには、供給管８６Ａ、８６Ｂが間隔をあけて接続されている。また、配管４９のうち、水の流れる方向で最も下流側に配置されている縦配管４９Ａの下端には、還流管８８が接続されている。これにより、配管４９では、供給管８６Ａ、８６Ｂから供給された温水又は冷水が、下側の横配管４９Ｂから複数の縦配管４９Ａ内を上方へ流れ、上側の横配管４９Ｂ内を流れ、最も下流側の縦配管４９Ａ内を下方へ流れて還流管８８から排水される。
【００７７】
還流管８８を流れる排水は、貯水タンク７８で一旦貯留され、再度、配管４９に供給されて循環が行われる。このようにして、配管４９に温水又は冷水を流すと共に、縦桟４６の上部に温水又は冷水が滞留しないように横桟４８に流して循環させることにより、図１０に示すように、縦桟４６及び横桟４８が加熱又は冷却され、間仕切り部材２８の周囲の吹き抜け部４０及び第１居室部５０が加熱又は冷却されるようになっている。
【００７８】
なお、配管４９の他の実施例として、図９（Ｂ）に示すように、１本目と２本目の縦配管４９Ａの上端、２本目と３本目の縦配管４９Ａの下端、３本目と４本目の縦配管４９Ａの上端という順番で、各縦配管４９Ａを短い横配管４９Ｃで接続してもよい。この場合、１本目の縦配管４９Ａの下端から供給された水（温水又は冷水）は、上端に到達したら横配管４９Ｃを伝って隣接する縦配管４９Ａの上端から下端に流下する。そして、下側の横配管４９Ｃを伝って隣接する縦配管４９Ａの下端から上端へ流れる。このように上下交互に水が流れるように構成してもよい。この構成においても、配管４９に温水又は冷水が循環して流れるため、図１１に示すように、縦桟４６及び横桟４８が加熱又は冷却され、間仕切り部材２８の周囲の吹き抜け部４０及び第１居室部５０が加熱又は冷却される。
【００７９】
次に、本実施形態の作用について説明する。
【００８０】
まず、建物１０における主な温度調節作用について、冬期、夏期の場合に分けて説明する。
【００８１】
図１に示す建物１０において、冬期の場合、温湿度センサ７２（図６（Ｂ）参照）が低温（例えば１０℃）状態を検知すると、制御部７０（図６（Ｂ）参照）が、図４（Ｂ）に示すようにパネル材４７を移動させ、閉塞部４７Ａにより開口部５７を閉塞する。さらに、制御部７０は、図８に示す水供給システム８０を加熱モードで動作させる。これにより、配管４９（図９（Ａ）参照）に温水が供給され、この温水の輻射熱により縦桟４６及び横桟４８が加熱される。
【００８２】
続いて、間仕切り部材２８を含む各間仕切り部材で加熱が行われること、及び開口部５７が閉塞され第１居室部５０及び第２居室部６０の空気が吹き抜け部４０に流れる（逃げる）のを抑制して空調効率が上がることにより、図１２（Ａ）に示すように、第１間仕切り部２２及び第２間仕切り部２４の周囲（図示の領域Ｈ）が加熱され、吹き抜け部４０、第１居室部５０、及び第２居室部６０の温度が、１０℃から設定温度の２０℃まで上昇する。
【００８３】
なお、制御部７０のタイマー（図示省略）により、設定した時間が経過した後に水供給システム８０（図８参照）の動作が停止されるため、吹き抜け部４０、第１居室部５０、及び第２居室部６０の温度が過度に上昇することが抑制される。そして、開口部５７が閉塞されているため、吹き抜け部４０、第１居室部５０、及び第２居室部６０の温度がそれぞれ２０℃前後の室温に保たれる。
【００８４】
一方、建物１０において、夏期の場合、温湿度センサ７２（図６（Ｂ）参照）が高温（例えば３０℃）状態を検知すると、制御部７０（図６（Ｂ）参照）が、図４（Ａ）に示すようにパネル材４７を移動させ、閉塞部４７Ａを収納して開口部５７を開放する。さらに、制御部７０は、図８に示す水供給システム８０を冷却モードで動作させる。これにより、配管４９（図９（Ａ）参照）に冷水が供給され、縦桟４６及び横桟４８が冷却されると共に、開口部５７を通過する空気が冷却される。
【００８５】
続いて、間仕切り部材２８を含む各間仕切り部材で冷却が行われることにより、図１２（Ｂ）において、第１間仕切り部２２及び第２間仕切り部２４の周囲が冷却され、吹き抜け部４０、第１居室部５０、及び第２居室部６０の温度が、３０℃から設定温度の２５℃まで低下する。なお、制御部７０のタイマー（図示省略）により、設定した時間が経過した後に水供給システム８０（図８参照）の動作が停止されるため、吹き抜け部４０、第１居室部５０、及び第２居室部６０の温度が過度に低下することが抑制され、２５℃前後の室温に保たれる。
【００８６】
また、夏期の場合は、図１２（Ｂ）に示すように、開口部５７が開放されているため、開口部５７（図４（Ａ）参照）を通って第１居室部５０、第２居室部６０から吹き抜け部４０へ空気が流入する。これにより、吹き抜け部４０及び第１居室部５０、第２居室部６０の通気性を確保することができる。さらに、天窓５２を開放することで、吹き抜け部４０の上階（二階）に集まった空気が天窓５２から排気される流れ（図示の矢印Ｄ方向）が形成されるため、建物１０全体の風の通りがよくなる。このようにして、建物１０では、吹き抜け部４０、第１居室部５０、及び第２居室部６０の温度が、居住者が快適となる温度に調節される。
【００８７】
また、建物１０では、図７（Ａ）、（Ｂ）に示すように、間仕切り部材２８の収納又は引き出しによって吹き抜け部４０の一側面が開放又は閉塞されるので、間仕切り部材２８を吹き抜け部４０に出入りするための引き戸として用いることができる。さらに、間仕切り部材２８を収納した状態では、間仕切り部材２８と間仕切り部材３２が厚さ方向で重なる。このため、間仕切り部材２８を間仕切り部材３２側に収納して吹き抜け部４０の一部を開放状態としても、間仕切り部材２８と間仕切り部材３２とが重なった部分において、冷却能力又は加熱能力が向上するので、吹き抜け部４０及び第１居室部５０の温度変化を抑制することができる。
【００８８】
なお、間仕切り構造２０（図１参照）は、図８及び図９（Ａ）、（Ｂ）に示すように、配管４９に温水又は冷水を通すだけで各間仕切り部材（例えば間仕切り部材２８）の冷却又は加熱を行えるので、温度変更手段を簡単な構成とすることができる。また、配管４９は縦桟４６及び横桟４８に隠蔽されているので、間仕切り部材２８を含む各間仕切り部材の意匠性を損なうことがなくなる。加えて、間仕切り構造２０では、開口部５７を介して通気が行われるので、床部１２、１４、天井部１６に通気用の孔を設けなくて済む。
【００８９】
次に、建物１０の一階、二階における温度調節作用について、冬期、夏期の場合に分けて説明する。
【００９０】
図１３（Ａ）、（Ｂ）には、吹き抜け部４０、一階の第１居室部５０、及び二階の第２居室部６０における夏期の空気の流れの一例が示されている。一方、図１４（Ａ）、（Ｂ）には、吹き抜け部４０、一階の第１居室部５０、及び二階の第２居室部６０における冬期の空気の流れの一例が示されている。なお、図１３（Ａ）、（Ｂ）、図１４（Ａ）、（Ｂ）では、空気の流れを分かり易く説明するために、間仕切り部材２８と間仕切り部材４４を上下（一階、二階）に並べて配置（図示）してある。また、冷却された空気を領域Ｃ、加熱された空気を領域Ｈで図示してある。
【００９１】
図１３（Ａ）に示すように、夏期の日中には、間仕切り部材２８、４４を開放すると共に、各間仕切り部材のパネル材４７（図４（Ｂ）参照）を収納して開口部５７（図４（Ｂ）参照）を開放する。これにより、吹き抜け部４０の内部と第１居室部５０の内部、及び吹き抜け部４０の内部と第２居室部６０の内部がそれぞれ連通する。
【００９２】
続いて、前述の水供給システム８０（図８参照）を用いて間仕切り部材２８、４４を冷却する。これにより、第１居室部５０及び第２居室部６０の温度が低下する。さらに、シーリングファン９４を回転させると、吹き抜け部４０では、二階に滞留し易い暖かい空気が、シーリングファン９４の回転により一階、二階で循環（図示の矢印Ｅ１）され、一階の空気及び二階の空気の温度差が小さくなる。
【００９３】
そして、この循環された空気が開放状態の間仕切り部材２８、４４を通って、第１居室部５０及び第２居室部６０に流れ込む（図示の矢印Ｅ２、矢印Ｅ３）。これらの作用により、吹き抜け部４０、第１居室部５０、及び第２居室部６０の温度が低下すると共に、同様の温度となるため、居住者は、吹き抜け部４０、第１居室部５０、及び第２居室部６０のいずれの場所にいても涼しく快適に過ごすことができる。
【００９４】
図１３（Ｂ）に示すように、夏期の夜中には、例えば、居住者が第２居室部６０で就寝する場合、間仕切り部材２８を閉じると共にパネル材４７（図４（Ｂ）参照）を閉じる。そして、間仕切り部材４４を開放すると共にパネル材４７を収納して開口部５７（図４（Ｂ）参照）を開放する。これにより、吹き抜け部４０の内部と第２居室部６０の内部が連通する。
【００９５】
続いて、水供給システム８０（図８参照）を用いて間仕切り部材４４を冷却する。これにより、第２居室部６０の温度が徐々に低下する。さらに、シーリングファン９４を回転させると、吹き抜け部４０では、二階に滞留し易い暖かい空気が、シーリングファン９４の回転により一階、二階で循環（図示の矢印Ｅ１）され、二階の空気の温度が上がりにくくなる。そして、間仕切り部材４４の冷却によって冷やされた吹き抜け部４０側の空気は、間仕切り部材４４を通って第２居室部６０に流れ込む（図示の矢印Ｅ３）。これらの作用により、第２居室部６０の温度が低下するため、第２居室部６０にいる居住者が涼しく快適に過ごすことができる。
【００９６】
図１４（Ａ）に示すように、冬期の日中には、間仕切り部材２８、４４を開放すると共に、各間仕切り部材のパネル材４７（図４（Ｂ）参照）を収納して開口部５７（図４（Ｂ）参照）を開放する。これにより、吹き抜け部４０の内部と第１居室部５０の内部、及び吹き抜け部４０の内部と第２居室部６０の内部がそれぞれ連通する。
【００９７】
続いて、前述の水供給システム８０（図８参照）を用いて間仕切り部材２８、４４を加熱する。これにより、第１居室部５０及び第２居室部６０の温度が徐々に上昇する。さらに、シーリングファン９４を回転させると、吹き抜け部４０では、二階に滞留し易い暖かい空気が、シーリングファン９４の回転により一階、二階で循環（図示の矢印Ｅ１）され、一階の空気と二階の空気の温度差が小さくなる。
【００９８】
そして、この循環された空気が開放状態の間仕切り部材２８、４４を通って、第１居室部５０及び第２居室部６０に流れ込む（図示の矢印Ｅ２、矢印Ｅ３）。これらの作用により、吹き抜け部４０、第１居室部５０、及び第２居室部６０の温度が上昇するため、居住者は、吹き抜け部４０、第１居室部５０、及び第２居室部６０のいずれの場所にいても暖かく快適に過ごすことができる。
【００９９】
図１４（Ｂ）に示すように、冬期の夜中には、例えば、居住者が第１居室部５０で就寝する場合、間仕切り部材４４を閉じると共にパネル材４７（図４（Ｂ）参照）を閉じる。そして、間仕切り部材２８を開放すると共にパネル材４７を収納して開口部５７（図４（Ｂ）参照）を開放する。これにより、吹き抜け部４０の内部と第１居室部５０の内部が連通する。
【０１００】
続いて、水供給システム８０（図８参照）を用いて間仕切り部材２８を加熱する。これにより、第１居室部５０の温度が徐々に上昇する。さらに、シーリングファン９４を回転させると、吹き抜け部４０では、二階に滞留し易い暖かい空気が、シーリングファン９４の回転により一階、二階で循環（図示の矢印Ｅ１）され、冷え易い一階の空気の温度が下がりにくくなる。そして、間仕切り部材２８の加熱によって温められた吹き抜け部４０側の空気は、間仕切り部材２８を通って第１居室部５０に流れ込む（図示の矢印Ｅ２）。これらの作用により、第１居室部５０の温度が上昇するため、第１居室部５０にいる居住者が暖かく快適に過ごすことができる。
【０１０１】
次に、建物１０の間仕切り構造２０の他の作用について説明する。
【０１０２】
図１に示す間仕切り構造２０では、間仕切り部材２６、２８、３２、３４、３６、３８、４２、４４が一階（下階）と二階（上階）に分割して（分けて）配置されており、１つの間仕切り部材とはなっていないので、建物１０の一階、二階のそれぞれで必要とされる空間の大きさに合わせて設置することができる。また、吹き抜け部４０の一階部分で複数の側面を構成する間仕切り部材２６、２８、３２、３４が設けられ、吹き抜け部４０の二階部分で複数の側面を構成する間仕切り部材３６、３８、４２、４４が設けられており、それぞれの階で空気と各間仕切り部材との接触面積が増加しているので、各間仕切り部材の周囲の温度を変化させるのに必要な時間が短くなり、吹き抜け部４０、第１居室部５０、及び第２居室部６０の温度調節の時間を短縮することができる。
【０１０３】
また、間仕切り構造２０では、開口部５７（図４（Ａ）参照）を開放することで第１居室部５０又は第２居室部６０の通気性が確保され、開口部５７を閉塞することで第１居室部５０又は第２居室部６０が保温されるので、通気状態と保温状態を自由に切り換えることができる。そして、第１居室部５０又は第２居室部６０の温度が設定温度に対して高温又は低温に変化しても、制御部７０（図８参照）の制御により自動で温度調節されるので、居住者が制御部７０を操作する時間を減らすことができる。
【０１０４】
さらに、間仕切り構造２０では、図５に示すように、縦桟４６と横桟４８を組むだけで開口部５７が形成され、開口部５７を別途形成する作業が不要となるので、各間仕切り部材を簡単に製造することができる。
【０１０５】
加えて、間仕切り構造２０では、ＬＥＤランプ５９（図４（Ａ）参照）が、間仕切り部材２８を加熱するときは電球色、間仕切り部材２８を加熱しないときは白色というように発光色が変化するので、吹き抜け部４０の空間の演出を行うことができる。さらに、ＬＥＤランプ５９の発光で縦桟４６の影が映ることにより、第１居室部５０（図１参照）の空間に変化を持たせる演出を行うことができる。そして、これらの演出効果により、吹き抜け部４０と第１居室部５０、第２居室部６０とを間仕切り構造２０を介して融合させたデザインとすることができるので、吹き抜け部４０にデザイン的な付加価値を付与することができる。
【０１０６】
なお、本発明は上記の実施形態に限定されない。
【０１０７】
温度変更手段として、水供給システム８０により温水又は冷水を各間仕切り部材の配管４９に供給する他に、ヒータ（例えばオイルヒータ）を用いて間仕切り部材を加熱し、又はペルチェ素子を用いて間仕切り部材の冷却を行ってもよい。また、間仕切り部材２８を単位ユニットとして、間仕切り部材２８を繋ぎ合わせる（整数倍の大きさにする）ことで他の間仕切り部材を構成し、様々な大きさの建物１０に対応できるようにしてもよい。
【０１０８】
さらに、各間仕切り部材において、図６（Ｂ）に示すパネル材４７に換えて、図１５（Ａ）に示すように、縦桟４６の大きさに合わせた複数の矩形状の開閉部材の一例としてのパネル材１０２Ａ、１０２Ｂ（他のパネル材の図示は省略）を設け、パネル材１０２Ａを駆動するためのラック１０４Ａ及びモータ（ピニオン含む）１０６Ａと、パネル材１０２Ｂを駆動するためのラック１０４Ｂ及びモータ（ピニオン含む）１０６Ｂと、モータ１０６Ａ、１０６Ｂを独立して駆動する制御部１００とをさらに設けて、パネル材１０２Ａ、１０２Ｂを独立して矢印Ｓ方向に開閉動作させてもよい。これにより、複数のパネル材１０２Ａ、１０２Ｂ等が独立して開閉制御され、パネル材の一部が開口部５７を開放し、残りのパネル材が開口部５７を閉塞することが可能となるので、第１居室部５０又は第２居室部６０の通気性と保温性を両立させることができる。
【０１０９】
また、図１５（Ｂ）に示すように、一階の間仕切り部材にスリット部が形成された開閉部材の一例としてのパネル材１１２を設け、ラック１１４及びモータ（ピニオン含む）１１６でスライドさせるようにし、二階の間仕切り部材にスリット部が形成された開閉部材の一例としてのパネル材１１８を設け、ラック１２２及びモータ（ピニオン含む）１２４でスライドさせるようにする。そして、モータ１１６、１２４を１つの制御部１１０で独立して駆動し、パネル材１１２、１１８を独立して開閉動作させてもよい。
【０１１０】
ここで、制御部１１０は、一例として、吹き抜け部４０の一階部分に設置された温度計１２６と、吹き抜け部４０の二階部分に設置された温度計１２８とが接続されており、温度計１２６、１２８で検知された温度と予め設定した設定温度とに基づいてモータ１１６、１２４の駆動を行う。これにより、吹き抜け部４０の一階側、二階側で温度差があった場合、各階の温度に合わせてパネル材１１２、１１８の開閉動作を独立して行えるので、第１居室部５０、第２居室部６０の温度をそれぞれ適切な温度に調節することができる。
【０１１１】
なお、各パネル材の開閉動作は、温度だけでなく湿度に基づいて決定してもよい。即ち、温度及び湿度の少なくとも一方で基準値（設定値）を設定して検知を行えばよい。また、各パネル材の開閉動作を、制御部７０等を用いずに、居住者が手動で行うように構成してもよい。さらに、一階の床部１２にファンを設けて、夏期に二階よりも冷える一階の空気を上昇させて循環させるようにしてもよく、間仕切り構造２０を納戸の側壁に利用してもよい。加えて、天井部１６に天窓５２を設けない構成としてもよい。
【符号の説明】
【０１１２】
１０  建物
２０  間仕切り構造（建物の間仕切り構造の一例）
２２  第１間仕切り部（第１間仕切り部材、間仕切り部の一例）
２４  第２間仕切り部（第２間仕切り部材、間仕切り部の一例）
２６  間仕切り部材（固定部の一例）
２８  間仕切り部材（移動部の一例）
３２  間仕切り部材（固定部の一例）
３４  間仕切り部材（固定部の一例）
４０  吹き抜け部
４６  縦桟
４７  パネル材（開閉部材の一例）
４８  横桟
４９  配管
５０  第１居室部（他の空間部の一例）
５７  開口部（連通孔部の一例）
６０  第２居室部（他の空間部の一例）
７０  制御部（制御手段、温度変更手段の一例）
７２  温湿度センサ（検知手段の一例）
７４  ポンプユニット（供給手段の一例）
７８  貯水タンク（供給手段の一例）
８０  水供給システム（温度変更手段の一例）
９４  シーリングファン（空気循環手段の一例）
【図１】
0005761990.tif 000002
【図２】
0005761990.tif 000003
【図３】
0005761990.tif 000004
【図４】
0005761990.tif 000005
【図５】
0005761990.tif 000006
【図６】
0005761990.tif 000007
【図７】
0005761990.tif 000008
【図８】
0005761990.tif 000009
【図９】
0005761990.tif 000010
【図１０】
0005761990.tif 000011
【図１１】
0005761990.tif 000012
【図１２】
0005761990.tif 000013
【図１３】
0005761990.tif 000014
【図１４】
0005761990.tif 000015
【図１５】
0005761990.tif 000016